(57)【要約】【課題】バスタブの残り湯を安全に効率的かつ手軽な装置として水圧を利用した排水用ホ−ス連結ジョイントを提供する。【解決手段】本発明は本体中央部の上下またはそのいずれか一方に吸水穴を設け本体部の一側には排水側ホ−ス取付け用の排水パイプ部を設けジェットパイプの散水出口を有し他側に水道水の蛇口と連結するホ−スを取付ける給水パイプ部を設け、前項蛇口側にジェットパイプの水道水供給口を有する。水道水供給用のジェットパイプは、排水パイプ部内径より小径とし、排水パイプ部内に延伸させ水道水の水圧を増加させる機能を持たせ水道水を流し排水パイプ部内で拡散し送り込むと空気を排出し本体空洞部内に真空状態が起こり本体部の吸水穴を通して湯水等を吸引し水道水と合流させ排水させる。【選択図】図１
2012112371.tif 000002
【特許請求の範囲】
【請求項１】
中央の上下またはそのいずれか一方に吸水穴を設け内部を空洞とする本体部の一側には水道の蛇口と連結したホ−スを取付けるための給水パイプ部を設けジェットパイプの水道水供給口を有し、また他側には排水ホ−ス取付け用の排水パイプ部を設けジェットパイプの散水出口を有し前記ジェットパイプを排水側ホ−ス取付け用の排水パイプ部内に延伸し、かつ、排水パイプ部の内径より小径とし蛇口から供給される水道水をジェットパイプを介し水圧を増加し排水パイプ部に位置された散水出口より拡散散水させ排水パイプ部内の空洞部分の空気を排出し本体部の空洞部内を真空状態として、本体部に穿設した吸水穴を通して湯水等を吸引して水道水と合流させ排水させることを特徴とする排水用ホ−ス連結ジョイント。
【発明の詳細な説明】
【技術分野】
【０００１】  本発明は、バスタブに残留される風呂の残り湯など、ホースを繋ぎ室外へ排出する排水用ホ−ス連結ジョイントに関する。
【背景技術】
【０００２】  従来のホ−ス連結ジョイントは複数のホースを繋ぐものとして使用するものがあった。さらに、水道の水圧を利用した汲み上げ装置があるが、それぞれホースを蛇口側と吸込み口側と排出口側に３本が必要であるため面倒である（例えば、特許文献１参照）。また、洗濯機への水補給用に固定して使用する汲み上げ装置があるがこれは、水圧でタービンを回転させ汲み上げる装置のため、構造が複雑で高価である。また設置型であるため取外しが容易でないなど未使用時に邪魔で煩わしさがある（例えば、特許文献２参照）。又、電気式の給水装置は漏電の危険性があり電気供給のための設備を設置する必要があるなど問題点がある。
【先行技術文献】
【０００３】
【特許文献】
【特許文献１】特開昭５４−５７２０８号公報
【特許文献２】特開平６−３３７０００号公報
【発明の概要】
【発明が解決しようとする課題】
【０００４】  猛暑が続き打ち水や草花への水の散水にバスタブの残り湯を再利用するが、風呂場から外庭へバケツでの汲み取りが大変な労力である。従来のホ−ス連結ジョイントは長さを調整するものに過ぎない。また、他の汲み上げる方式はホ−スを３本使用している。他に、タ−ビンを回転させ汲み上げる方式のものがあるが、構造が複雑で高価である。電気式の給水装置は設備を設置し使用するが、漏電の危険性があるなど問題点がある。そこで安価で安全、取外しが簡単、かつ便利で手軽に使用できることを目的に提案されたものである。
【課題を解決するための手段】
【０００５】  本発明に係わる排水用ホ−ス連結ジョイントは、このような目的を解決するため本体部と給水パイプ部と排水パイプ部の３つの構造体からなる。中央の上下またはそのいずれか一方に吸水穴を設け内部を空洞とする。本体部の一側には水道の蛇口と連結したホ−スを取付けるための給水パイプ部を設けジェットパイプの水道水供給口を有する。また他側には排水ホ−ス取付け用の排水パイプ部を設けジェットパイプの散水出口を有し前記ジェットパイプを排水側ホ−ス取付け用の排水パイプ部内に延伸し、かつ、排水パイプ部の内径より小径として、蛇口から供給される水道水をジェットパイプを介して排水パイプ部に位置された散水出口より拡散散水させ排水パイプ部の空洞部分の空気を排出し本体部の空洞部内を真空状態とし空気の流れを発生させこの状態で本体部を湯水に沈めることにより本体部に穿設した吸水穴を通して湯水等を吸引して水道水と合流させ排水させる特徴を有するものである。
【発明の効果】
【０００６】  バスタブの残り湯を洗濯機等へ移動するには専用の汲み取りの外部動力機器が必要であつたが本発明は水道水の水圧を利用するため水道の蛇口からホ−スを本体部の一側の給水パイプ部に繋ぎ、また他側には排水用ホースを排水パイプ部に繋ぎ水道蛇口を開くと水道水はジェットパイプで水圧を増加させ散水出口で散水する本体内部の空洞部分が真空状態になり本体部と連結したホースを湯水のあるバスタブに沈めることのみで吸水し水道水と湯水を合流させ風呂場から屋外へ排水できる。【０００７】  尚、取外しが簡単であり持ち運びや保管にも便利、構造が簡単で安価に利用できる。この排水方法は電気を使用しないため設備は不要で漏電の危険性も防止できる。【０００８】  実際の排水量は水道蛇口から水道水１リッタ−を散水すると、３０秒当たり約５リッタ−の湯水を風呂場から室外へ排水が可能である。
【図面の簡単な説明】
【０００９】
【図１】  本発明の排水用ホ−ス連結ジョイントを示す断面図
【図２】  本発明に係わる排水用ホ−ス連結ジョイントの一部側面図
【図３】  排水状態を示す機能断面図
【図４】  使用状態を示す作用図
【発明を実施するための形態】
【００１０】  本発明に係わる排水用ホ−ス連結ジョイントについて、添付図面を用いて説明する。連結ジョイントは図３ないし図４に示すように本体部１と、この本体部１の一側に設けられる給水パイプ部２と、他側に設けられる排水パイプ部１０により構成される。
【００１１】本体部１は、その図各中央の少なくとも上下面に吸水穴６を備えその内部を空洞とする。
【００１２】前記本体部１の一側に一体的に設けられる給水パイプ部２は、水道水の蛇口１６と連結するホ−ス７を繋ぐための中空状の取付け部を設けている。
【００１３】  また、本体部１の他側に一体的に設けられる排水パイプ部１０は、排水用ホ−ス１８を連結する内部を空洞部１７とする取付け部を設けている。
【００１４】  給水パイプ部２の取付け部中空部にはジェットパイプ４が一体的にとりつけられて、このジェットパイプ４は、その根元側を給水パイプ部２の開口端の水道水供給口３とし、その先端側の散水出口５は排水パイプ部１０の先端側開口端の排水口１１と本体部１の吸水穴６との図各々中間付近に位置されるように延設され、このジェットパイプ４の径は、排水パイプ部１０の空洞部１７の内径より小径とするものである。
【００１５】  水道水１２と蛇口１６に連結される水道蛇口側ホ−ス７は水漏れ防止ゴムパッキン９を介してホ−ス止具８ａを用いて給水パイプ部２の設けられるホ−ス止用ネジ８に装着して連結を固定される。
【００１６】  このようにして構成される排水用ホ−ス連結ジョイントは、蛇口１６と本体部１をホース７を介して連結し、本体部１の先端側に排水用ホ−ス１８を連結して、図４に示すように湯水等が溜まっているバスタブ１３に本体部１を沈める。
【００１７】  この状態で、水道水を供給することによって図３に示すように、水道水供給口３からジェットパイプ４に通して排水パイプ部１０側に水圧が増した拡散状態を送り込む事によって空洞部分１７が真空状態となり、本体部１に穿設した吸水穴６を通してバスタブ１３の湯水１４を吸引して排水パイプ部１０の空洞部１７において水道水１２と合流させ開口端の排水口１１から水道水と湯水の混合水出口１５により排水Ｂさせるものである。
【００１８】  このように構成される排水用ホ−ス連結ジョイント１は水圧Ａがあれば残留水を吸引して排水Ｂされるものである。
【産業上の利用可能性】
【００１９】  本発明は、風呂等の残留水を排出する以外、災害時に消化用ポンプ車など排水機械の入らない所へは放水用ホースを複数連結し中間部に排水用ホ−ス連結ジョイントを繋ぎ溜まり水へ沈めることのみで排水等を速やかに、かつ、特別な動力源を必要とせずに水の移動ができる。【００２０】  火災時に使うスプリンクラ−に利用することで、散水と同時に有害な煤や煙を吸込み洗浄し減少させ放水することができる。
【符号の説明】
【００２１】  １本体部
２給水パイプ部
３水道水供給口
４ジェットパイプ
５散水出口
６吸水穴
７水道蛇口側ホ−ス
８ホ−ス止用ネジ
８ａホース止具
９水漏防止ゴムパッキン
１０排水パイプ部
１１排水口
１２水道水
１３バスタブ
１４湯水
１５水道水と湯水の混合水出口
１６水道蛇口
１７空洞部
１８排水用ホ−ス
Ａ水道水の流れ
Ｂ排水の流れ
【図１】
2012112371.tif 000003
【図２】
2012112371.tif 000004
【図３】
2012112371.tif 000005
【図４】
2012112371.tif 000006
【手続補正書】
【提出日】平成23年8月15日(2011.8.15)
【手続補正１】
【補正対象書類名】特許請求の範囲
【補正対象項目名】請求項１
【補正方法】変更
【補正の内容】
【請求項１】
中央の上下またはそのいずれか一方に吸水穴を設け内部を空洞とする本体部の一側には水道の蛇口と連結したホ−スを取付けるための給水パイプ部を設けジェットパイプの水道水供給口を有し、また他側には排水ホ−ス取付け用の排水パイプ部を設けジェットパイプの散水出口を有し前記ジェットパイプを排水側ホ−ス取付け用の排水パイプ部内下流に延伸しかつ、ジェットパイプが排水パイプ部の内径より小径とし蛇口から供給される水道水をジェットパイプを介し水圧を増加し排水パイプ部に位置された散水出口より拡散散水させ排水パイプ部内の空洞部分の空気を排出し本体部の空洞部内を真空状態として、本体部に穿設した吸水穴を通して湯水等を吸引して水道水と合流させ排水させることを特徴とする排水用ホ−ス連結ジョイント。